(57)【要約】【課題】外形寸法を小型化し、設置に必要な空間の省スペース化に有利な放射性薬剤投与装置を提供する。【解決手段】放射性薬剤２７の遮蔽容器５を保持する容器ホルダ１２２、容器ホルダ１２２内に収容されているバイアル瓶７に接続される流路の一部を構成する流路切換部材３３ａ、３３ｂ、３３ｃ、第一シリンジ３６ａ、第二シリンジ３６ｂ、食塩水流路３１ａ、放射性流路３１ｂ、エアベンテッドフィルタ３２が取り付けられる流路構成部材配置部１４、放射性薬剤から放出される放射線の遮蔽部材２１、遮蔽部材の装置ハウジング２０を備え、遮蔽部材２１は、上面の一部が流路構成部材の大きさに応じて他の部分よりも低い遮蔽壁２１ｇを有し、遮蔽部材２１の外部であって遮蔽壁２１ｇの上方に放射性流路３１ｂが遊挿される。【選択図】図３
2020078534.tif 000002
【特許請求の範囲】
【請求項１】
放射性薬剤を生体に投与するための放射性薬剤投与装置であって、
前記放射性薬剤の薬剤容器が収容された遮蔽容器を保持する容器保持部と、
前記容器保持部内に収容されている前記薬剤容器に接続される流路の一部を構成する複数の流路構成部材が取り付けられる構成取付部と、
前記容器保持部または前記構成取付部の少なくとも一部を覆って前記放射性薬剤から放出される放射線を遮蔽する遮蔽部材と、
前記遮蔽部材の少なくとも一部を覆う装置ハウジングと、を備え、
前記遮蔽部材は、設置方向における上面の一部が前記上面の他の部分よりも低い低面部を有し、前記低面部の上方に前記遮蔽部材から引き出された前記流路が遊挿される遊挿空間を有する、放射性薬剤投与装置。
【請求項２】
前記遮蔽部材には、前記容器保持部及び前記構成取付部を個々に遮蔽する複数の遮蔽領域が設けられている、請求項１に記載の放射性薬剤投与装置。
【請求項３】
前記遮蔽部材に形成された第一開口と前記装置ハウジングに形成された第二開口との間で前記流路を保持する流路誘導部をさらに有する、請求項１または２に記載の放射性薬剤投与装置。
【請求項４】
前記流路誘導部は、前記流路を前記装置ハウジングの幅方向に移動可能にする、請求項３に記載の放射性薬剤投与装置。
【請求項５】
前記流路の一部は、前記遊挿空間内で上方向及び前記装置ハウジングの幅方向に引き回されている、請求項１から４のいずれか一項に記載の放射性薬剤投与装置。
【請求項６】
前記遮蔽部材は、遮蔽空間を構成する複数の遮蔽壁と、前記遮蔽空間を開放または閉塞する遮蔽扉を有し、
前記遮蔽扉は、放射性薬剤投与装置の外部に曝される外面を有する外側扉と、当該外側扉の前記外面に対する裏面である内面に対向する内側扉とを含む、請求項１から５のいずれか一項に記載の放射性薬剤投与装置。
【請求項７】
前記構成取付部には、前記流路を通じて前記遮蔽容器から前記放射性薬剤を抽出するためにシリンジのプランジャ部を駆動させる１または複数のシリンジ駆動部と、前記流路上に設けられ、前記流路を切り換える流路切換部材を保持する流路切換部材保持部とが取り付けられ、前記内側扉は、前記流路切換部材保持部を覆い、前記外側扉は、前記シリンジ駆動部及び前記内側扉を覆っている、請求項６に記載の放射性薬剤投与装置。
【請求項８】
前記内側扉の放射線の阻止能が、前記外側扉の放射線の阻止能より高い、請求項６または７に記載の放射性薬剤投与装置。
【請求項９】
前記容器保持部は、前記遮蔽扉の前記内側扉に設けられている、請求項６から８のいずれか一項に記載の放射性薬剤投与装置。
【請求項１０】
前記薬剤容器から前記放射性薬剤を抽出する抽出針を保持する抽出針保持部と、前記薬剤容器に穿刺される通気針を保持する通気針保持部とを脱着可能に保持する針ユニットをさらに備え、
前記針ユニットは、前記抽出針保持部と前記通気針保持部とが前記装置ハウジングの幅方向と交差する前後方向に配置されるように保持しながら上下動させる針案内部を有する、請求項１から９のいずれか一項に記載の放射性薬剤投与装置。
【請求項１１】
前記針案内部は、上下方向に延在する案内溝であって、前記抽出針保持部及び前記通気針保持部の一方が移動する第一の案内溝と、他方が移動する第二の案内溝とを有し、前記第一の案内溝及び前記第二の案内溝の一方が、他方に近づく方向に屈曲している、請求項１０に記載の放射性薬剤投与装置。
【発明の詳細な説明】
【技術分野】
【０００１】
本発明は、放射性薬剤を生体に投与する放射性薬剤投与装置に関する。
【背景技術】
【０００２】
放射性薬剤は、薬剤に含まれる放射性核種が固有の半減期に従って経時的に崩壊し、その際に放射線を放出することが知られている。このため、放射性薬剤を取り扱う作業は、作業者が放射線被ばくすることを防ぐため、自動投与装置を用いて行うことが公知である。このような放射性薬剤の投与装置は、例えば、特許文献１に記載されている。特許文献１に記載の放射性薬剤投与装置は、バイアル瓶に収容された放射性薬剤が収容された遮蔽容器が配置される容器配置部、放射性薬剤の流路を構成する輸液チューブ、流路上に設けられる流路切換部材及び遮蔽容器から放射性薬剤を抜き取って生体に投与するためのシリンジ等を備えている。これらの構成は、放射線遮蔽部材で覆われている。
【先行技術文献】
【特許文献】
【０００３】
【特許文献１】特開２００６−１５０５５号
【発明の概要】
【発明が解決しようとする課題】
【０００４】
しかしながら、特許文献１に記載の放射性薬剤投与装置の放射線遮蔽部材は、外観が略直方体の形状を有し、その内部に形成される遮蔽空間も略直方体の形状を有している。このような放射線遮蔽部材は、内部に配置される上記流路切換部材やシリンジ等のうち設置に必要なスペースの大きいものに合わせて設計されている。このため、遮蔽空間内には、比較的設置スペースが小さい部材の周囲に、部材の設置に利用されない空間（余剰空間）が存在することがある。このように、装置内に余剰空間が生じる特許文献１に記載の放射性薬剤の投与装置は、装置の小型化に不利であり、その設置スペースをさらに小さくする余地がある。
本発明は、このような点に鑑みてなされたものであり、その外形寸法を小型化し、設置に必要な空間の省スペース化に有利な放射性薬剤投与装置に関する。
【課題を解決するための手段】
【０００５】
本発明の放射性薬剤投与装置は、放射性薬剤を生体に投与するための放射性薬剤投与装置であって、前記放射性薬剤の薬剤容器が収容された遮蔽容器を保持する容器保持部と、前記容器保持部内に収容されている前記薬剤容器に接続される流路の一部を構成する複数の流路構成部材が取り付けられる構成取付部と、前記容器保持部及び前記構成取付部の少なくとも一部を覆って前記放射性薬剤から放出される放射線を遮蔽する遮蔽部材と、前記遮蔽部材の少なくとも一部を覆う装置ハウジングと、を備え、前記遮蔽部材は、設置方向における上面の一部が前記上面の他の部分よりも低い低面部を有し、前記遮蔽部材によって覆われる遮蔽領域の外部であって前記低面部の上方に前記遮蔽部材から引き出された前記流路が遊挿される遊挿空間を有する。
【発明の効果】
【０００６】
本発明は、外形寸法を小型化し、設置に必要な空間の省スペース化に有利な放射性薬剤投与装置に関する。
【図面の簡単な説明】
【０００７】
【図１】本発明の実施形態の概要を説明するための図である。
【図２】第一実施形態の放射性薬剤投与装置の外観を示す斜視図である。
【図３】図２に示す放射性薬剤投与装置の一部をｘ−ｚ平面で切断した部分断面を正面から見た図である。
【図４】図２に示す放射性薬剤投与装置の一部をｙ−ｚ平面で切断した部分断面を左側面から見た図である。
【図５】図１に示す放射性薬剤投与装置の一部をｙ−ｚ平面で切断した部分断面を右側面から見た図である。
【図６】放射性薬剤投与装置に取り付けられる脱着カセットの正面図である。
【図７】図６に示す脱着カセットの背面図である。
【図８】図６に示す脱着カセットの上面図である。
【図９】第一実施形態の容器ホルダの変形例を示す図である。
【図１０】第二実施形態の脱着カセットの底面図である。
【図１１】第二実施形態の脱着カセットの正面図である。
【図１２】第二実施形態の脱着カセットの背面図である。
【図１３】（ａ）及び（ｂ）は、第二実施形態の針ユニットを説明するための図である。
【発明を実施するための形態】
【０００８】
［概要］
先ず、本発明の第一実施形態、第二実施形態の具体的な説明に先立って、本発明の概要について説明する。なお、本明細書では、第一実施形態、第二実施形態を総称して本実施形態とも記す。なお、この概要の説明及び本実施形態中に示した図面において、同様の構成要素には同一の符号を付し、適宜その説明を省略する。また、本実施形態の図面は、本発明の放射性薬剤投与装置の構成部材、各構成部材の配置や機能、位置関係の例示であり、具体的な構成を限定するものではない。
【０００９】
図１は、本発明の実施形態の概要を説明するための図である。本実施形態の放射性薬剤投与装置１は、放射性薬剤を生体に投与するための放射性薬剤投与装置である。放射性薬剤投与装置１は、放射性薬剤の薬剤容器が収容された遮蔽容器を保持する容器保持部（図３、図５の容器配置部１２に相当）と、容器保持部内に収容されている放射性薬剤容器に接続される流路の一部を構成する複数の構成取付部（図３、図４の流路構成部材配置部１４に相当）と、を備えている。そして、放射性薬剤投与装置１は、容器保持部または構成取付部の少なくとも一部を覆う遮蔽部材２１、遮蔽部材２１の少なくとも一部を覆う装置ハウジング２０を備えている。遮蔽部材２１は、設置方向における上面２１１の一部が、上面２１１の他の部分（高面部２１１ａ）よりも低い低面部２１１ｂを有し、低面部２１１ｂの上方に遮蔽部材２１から引き出された放射性流路３１ｂが遊挿される遊挿空間５０を有している。
【００１０】
上記のうち、放射性薬剤投与装置とは、放射性薬剤を投与する機能を有するものであればよく、他に分注や合成といった他の機能を有するものであってもよい。ここで、設置方向は、重力の方向に従って図１中に示したｘ，ｙ，ｚ座標のｚ方向を「上」、−ｚ方向を「下」とする。また、図１に示す例では、放射性薬剤投与装置１をｙ方向に見る側を放射性薬剤投与装置１の「前」または「前面」とし、放射性薬剤投与装置１を−ｙ方向に見る側を「後」または「背面」とする。
上面２１１が高面部２１１ａと低面部２１１ｂとを有することにより、放射性薬剤投与装置１の遮蔽部材２１は、段差を有している。遮蔽部材２１の縦、横、奥行きの最大長を縦、横、奥行きの長さとする仮想的な直方体と実際の遮蔽部材２１とを重ね、仮想的な直方体に対する遮蔽部材２１の欠損部分を以降切欠領域２１０とも記す。放射性薬剤投与装置１では、切欠領域２１０を遊挿空間５０として利用している。
【００１１】
遊挿空間５０に遊挿される放射性流路３１ｂは、放射性薬剤を含む液体が流れる流路であって、装置ハウジング２０、望ましくは遮蔽部材２１内に収容されている。放射性薬剤投与装置１は、放射性流路３１ｂを低面部２１１ｂに形成されている開口２１１ｃから装置ハウジング２０の開口２１１ｄへ導く流路誘導部１６を備えている。流路誘導部１６は、装置ハウジング２０内に収容されていて、必要に応じて装置ハウジング２０から矢線Ａの方向に引出可能である。このような放射性薬剤投与装置１の放射性流路３１ｂには、開口２１１ｃから開口２１１ｄまでの長さに加え、流路誘導部１６と共に引き出される分の長さが必要になる。このような長さの余裕を確保するため、本実施形態では、遊挿空間５０に放射性流路３１ｂを遊挿するものである。
【００１２】
また、このような本実施形態は、遮蔽部材２１の上方に放射性流路３１ｂを引き回し、他の個所（例えば放射性薬剤投与装置の背面）に放射性流路３１ｂを引き回すことが不要になる。このため、放射性薬剤投与装置１の背面から放射性流路３１ｂを引き回していた公知の放射性薬剤投与装置と対比した場合に、本実施形態の放射性薬剤投与装置１では、流路引き回しに使用していた空間に電源や制御部等の比較的大型の構成を配置することができるようになる。このような点は、放射性薬剤投与装置１の小型化にさらに有効である。
さらに、遮蔽部材２１の上方に放射性流路３１ｂを引き回す構成は、作業者が放射性薬剤投与装置１の前面に立ったまま放射性流路３１ｂを操作することができる。このため、放射性薬剤投与装置１の周囲の作業スペースを削減し、放射性薬剤投与装置１の設置面積を小さくすることができる。
【００１３】
[第一実施形態]
（全体構成）
次に、第一実施形態の放射性薬剤投与装置１の全体構成について説明する。図２から図５の各々は、放射性薬剤投与装置１を示す図である。このうち、図２は、放射性薬剤投与装置１の外観を示す斜視図であり、図３から図５は、それぞれ前面、左側面、右側面からみた放射性薬剤投与装置１の部分断面図である。これらの部分断面図では、遮蔽領域及びその周辺構造の断面を示し、それ以外の構成を外観で示す。図３は、遮蔽扉１０を装置ハウジング２０に取り付けていない状態の放射性薬剤投与装置１の一部をｘ−ｚ平面で切断した部分断面図である。図４、図５は、放射性薬剤投与装置１の遮蔽領域をｙ−ｚ平面で切断した部分断面図である。図２から図５に示すように、放射性薬剤投与装置１では、放射性薬剤２７が収容されたバイアル瓶７が遮蔽容器５ごと内部に載置されている。放射性薬剤投与装置１は、放射性薬剤２７を抽出して生体に投与している。
【００１４】
放射性薬剤２７は、液状であり、その種類は特に限定されない。このような放射性薬剤２７としては、例えば、ＰＥＴ（陽電子断層撮像：Positron Emission Tomography）検査用のポジトロン放出核種（フッ素―１８、窒素―１３、炭素―１１、銅―６４等）を含む放射性薬剤、例えば［１８Ｆ］−２−deoxy-2-fluoro- D-glucose）、［１８Ｆ］フルテメタモル、［１８Ｆ］フロルベタピル、［１８Ｆ］フロルベタベン、［１８Ｆ］フルシクロビン、［１８Ｆ］フロロエチルチロシン、［１８Ｆ］フルオロミソニダゾール、［１８Ｆ］ドパミン、［１８Ｆ］フッ化ナトリウム、[１１C]メチオニン、[１１C]コリン誘導体、[１１C]酢酸、[６４Cu]ジチオセミカルバゾン誘導体等が挙げられ、また、ＳＰＥＣＴ（単一光子放射断層撮影：Single Photon Emission Computed Tomography）検査用の放射性核種（テクネチウム―９９ｍ、タリウム―２０１、ガリウム―６８、クロム―５１、ヨウ素―１２３、ヨウ素―１２５等）を含む放射性薬剤、もしくは放射線内用療法用の放射性核種（ヨウ素―１３１等）を含む放射性薬剤等が挙げられる。
【００１５】
放射性薬剤投与装置１は、放射性薬剤２７を抽出して投与するための構成、及び、放射線が外部へ漏洩することを低減するための構成を有している。遮蔽部材２１及び装置ハウジング２０は、放射線が外部へ漏洩することを低減するための構成であって、このうち主に遮蔽部材２１が大きな放射線の遮蔽機能を有している。遮蔽部材２１は、容器配置部１２（容器保持部）または流路構成部材配置部１４（構成取付部）の少なくとも一部を個々に覆っていればよく、容器保持部及び構成取付部の少なくとも一部を一体として覆ってもよいが、容器保持部又は構成取付部の少なくとも一部を個々に遮蔽する複数の遮蔽領域が設けられていることが好適である。本実施形態では、遮蔽部材２１に容器保持部及び構成取付部の少なくとも一部を個々に遮蔽する２つの領域（Ｓ１、Ｓ２）が設けられている場合を説明する。
【００１６】
遮蔽部材２１は、流路構成部材配置部１４を構成する複数の遮蔽壁２１ｄから遮蔽壁２１ｊと、流路構成部材配置部１４を開放または閉塞する遮蔽扉１０ａ（図２）によって内部に遮蔽領域Ｓ２を形成する。図４に示すように、遮蔽扉１０ａは、放射性薬剤投与装置１の外部に曝される外面を有する外側扉１００と、この外側扉１００の外面に対する裏面である内面に対向する内側扉１１０とを含んでいる。ここで、対向とは単に向き合うことをいい、両者の間隔は問わないものとする。図４に示す例では、外側扉１００の裏面と内側扉１１０とが接触している。
また、遮蔽部材２１は、容器配置部１２を構成する複数の遮蔽壁２１aから流路構成部材配置部１４と共有の遮蔽壁２１ｄと、流路構成部材配置部１４を開放または閉塞する遮蔽扉１０ａ（図２）によって内部に遮蔽領域Ｓ１を形成する。さらに、遮蔽扉１０ｂは把持部１１（図２）を有し、作業者が把持部１１を把持して遮蔽扉１０ｂを開放または閉塞可能である。
【００１７】
また、外側扉１００は、放射線の阻止能が高いＡ層１００ａと、放射線の阻止能がＡ層より低いＢ層１００ｂで形成されている。ここで、放射線の阻止能とは、荷電粒子が物質中を進む経路に沿っての単位長さ当りに失われる放射線エネルギーの割合をいう。
【００１８】
図４、図５に示すように、装置ハウジング２０の流路構成部材配置部１４より後方には、放射性薬剤２７の廃液が廃棄される廃液ボトル１８０を収納する廃液ボトル配置部１８を開閉可能に覆う廃液ボトル収容扉１０ｃが設けられている。廃液ボトル配置部１８は、遮蔽壁２１ｎ、２１ｏ、２１ｐ及び遮蔽壁２１ｑに囲まれた遮蔽空間である。装置ハウジング２０は、容器配置部１２、流路構成部材配置部１４及び廃液ボトル配置部１８を覆う金属製の筐体である。ただし、第一実施形態は、流路構成部材配置部１４及び容器配置部１２の一面を遮蔽部材である遮蔽扉１０a、１０ｂで覆うことから、装置ハウジング２０が遮蔽部材２１の全部でなく、その一部を覆っている。
装置ハウジング２０の左側面には流路誘導部１６を覆う流路収容扉１０ｄが設けられている。廃液ボトル収容扉１０ｃ、流路収容扉１０ｄにはそれぞれ把持部１０ｃｃ、把持部１０ｄｄが設けられているため、作業者が把持部１０ｃｃ、把持部１０ｄｄを把持して廃液ボトル収容扉１０ｃ、流路収容扉１０ｄを開閉可能である。第一実施形態では、流路収容扉１０ｄは幅方向かつ筐体本体から遠ざかる方向に移動可能に引き出される。
【００１９】
また、図２に示すように、装置ハウジング２０の正面には電源の投入、停止を切換える電源スイッチ６４、放射性薬剤投与装置１が外部と通信するための外部通信コネクタ６３が設けられている。筐体の天面前方には作業者が放射性薬剤２７に自動投与の指示をする操作部６が設けられ、操作部６は放射性薬剤に関する情報、放射性薬剤の投与に関する情報及び放射性薬剤を投与される生体の情報等を表示する。また、放射性薬剤投与装置１は、上面に作業者による入力を受け付けるタッチパネル等のディスプレイ６５を備えている。装置ハウジング２０の上面の後方には、緊急時に放射性薬剤投与装置１の作動を停止するための非常用停止スイッチ６２が設けられていて、上面の非常用停止スイッチ６２よりも前方には放射性薬剤２７を押し出し、あるいは流路を洗浄するための生理食塩液を収容した生食バッグ３を懸架できる懸架台３５が設けられている。
【００２０】
次に、放射性薬剤投与装置１の内部構造について説明する。第一実施形態の放射性薬剤投与装置１は、放射性薬剤２７のバイアル瓶７が収容された遮蔽容器５を保持する容器保持部である容器配置部１２内に、容器ホルダ１２２を備えている。また、放射性薬剤投与装置１は、容器ホルダ１２２内に収容されているバイアル瓶７に接続される流路の一部を構成し、少なくとも一部が他の一部と大きさが相違する複数の流路構成部材が取り付けられる構成取付部を備えている。第一実施形態の構成取付部は流路構成部材配置部１４であり、流路構成部材配置部１４には流路構成部材として食塩水流路３１ａ、放射性流路３１ｂ、第一シリンジ３６ａ、第二シリンジ３６ｂ及び三つの流路切換部材３３ａ、３３ｂ、３３ｃが取り付けられていて、放射性流路３１ｂ上にはエアベンテッドフィルタ３２が取り付けられている。
【００２１】
また、放射線の外部への漏洩を低減するための構成として、放射性薬剤投与装置１は、遮蔽部材２１を備えている。遮蔽部材２１は、遮蔽領域Ｓ１、Ｓ２を個々に囲んで設けられた複数の遮蔽壁２１ａから遮蔽壁２１ｋにより構成される。また、容器配置部１２が遮蔽領域Ｓ１に、流路構成部材配置部１４が遮蔽領域Ｓ２に配置されている。
【００２２】
また、放射性薬剤投与装置１は、遮蔽部材２１に形成された開口２１１ｃと装置ハウジング２０に形成された開口２１１ｄとの間で放射性流路３１ｂを保持する流路誘導部１６である誘導路１６０を備えている。このような誘導路１６０は、放射性流路３１ｂを開口２１１ｃから開口２１１ｄへ静的に誘導するものといえる。流路誘導部１６は、放射性流路３１ｂが挿通する誘導路１６０、流路導入口１６１、流路導出口１６２を有し、低面部２１１ｂの上方向（ｚ方向）かつ幅方向（−ｘ方向）に引き回されて、遊挿空間５０に遊挿された放射性流路３１ｂを引き込んで装置外部に誘導するように設けられている。また、第一実施形態の流路誘導部１６は、放射性流路３１ｂを装置ハウジング２０の幅方向（−ｘ方向）に移動可能にしている。このとき、誘導路１６０に保持されている放射性流路３１ｂは、誘導路１６０と共に−ｘ方向に移動して張力を受ける。第一実施形態では、前述のように、放射性流路３１ｂが、遊挿空間５０内でその長さに余裕を持って撓んで遊挿されていることにより、流路誘導部１６の移動に支障をきたす、あるいは放射性流路３１ｂがコネクタ３４等から脱落することを防ぐことができる。
【００２３】
次に、遮蔽部材２１を説明する。図３に示すように、放射性薬剤投与装置１は、遮蔽壁２１ａ、２１ｂ、２１ｃ、２１ｄ、２１ｊにより遮蔽領域Ｓ１を形成し、遮蔽領域Ｓ１内に容器配置部１２を備えている。また、遮蔽壁２１ｄ、２１ｅ、２１ｆ、２１ｇ、２１ｈ、２１ｉ、２１ｊ、２１ｋにより遮蔽領域Ｓ２を形成し、遮蔽領域Ｓ２内に流路構成部材配置部１４を備えている。また、放射性薬剤投与装置１は、流路誘導部１６の上方を覆う遮蔽壁２１ｍを有している。さらに、放射性薬剤２７の廃液を収容する廃液ボトル配置部１８内も、遮蔽壁２１ｎ、２１ｏ、２１ｐ、２１ｑによって放射線が遮蔽されている。放射性薬剤投与装置１は、これら遮蔽壁２１ａから遮蔽壁２１ｑによって、作業者への放射線被ばくを低減すると共に、後述する本装置の各駆動機構を構成するモータやアクチュエータ等を保護している。
【００２４】
また、図４、図５に示すように、放射性薬剤投与装置１は、放射性薬剤投与装置１に電力を供給する無停電電源装置（ＵＰＳ）７０ａと、放射性薬剤を投与するための各構成の駆動を制御する制御部７０ｂ及びトランス７０ｃといった電気的な機器を有している。制御部７０ｂは、放射性薬剤２７の投与量を決定するための演算処理を実行する小型のＣＰＵ、メモリ装置、放射性薬剤投与装置１の内部に設けられるモータやアクチュエータ等のドライバユニットを含んでいる。また、放射性薬剤投与装置１は、プリンタ４０を備えており、放射性薬剤２７を投与した後にその投与情報等がプリンタ４０を介して出力可能である。
【００２５】
（容器配置部）
次に、容器配置部１２について説明する。本実施形態では、容器配置部１２は容器保持部に相当する。図３、図５に示すように、容器配置部１２には、放射性薬剤２７を投与するための構成として放射性薬剤２７を収容したバイアル瓶７ごと収容する遮蔽容器５を保持する容器ホルダ１２２、放射性薬剤２７をバイアル瓶７から抽出する針ユニット１２８が取り付けられる針ユニット配置部１２４が配置されている。針ユニット１２８は、バイアル瓶７から放射性薬剤を抽出する薬剤抽出針１２５及びバイアル瓶７に穿刺される通気針１２６を個々に着脱可能に保持する針保持部１２７を有する構成である。容器配置部１２は、遮蔽壁２１ａ、２１ｂ、２１ｃ、２１ｄ、２１ｊによって囲まれていて、装置ハウジング２０の前面側は遮蔽扉１０ｂによって開閉可能に覆われている。
容器配置部１２の容器ホルダ１２２は、装置ハウジング２０内に設けられており、針ユニット配置部１２４の下方に位置している。また、容器ホルダ１２２は、遮蔽容器５を傾斜して保持する斜面１２３を有しており、斜面１２３により針ユニット１２８の薬剤抽出針１２５がバイアル瓶７に刺入した際に、傾斜したバイアル瓶７の底部付近まで下降することを可能とし、放射性薬剤２７を残量少なく抽出することができる。
【００２６】
針ユニット配置部１２４は、図示しない針案内部に対応する位置に針ユニット１２８が駆動可能な空間を有する。針ユニット１２８は、針保持部１２７（１２７ａ、１２７ｂ）と機械的に連結されている。また、流路構成部材の一つである針ユニット１２８は、針保持部１２７の駆動量を制御する針駆動機構１２９を有している。針駆動機構１２９はステッピングモータ等で構成され、針駆動機構１２９の駆動量が機械的に連結された針保持部１２７に伝わり、針保持部１２７が針ユニット配置部１２４内を上下動する。
【００２７】
（流路構成部材）
次に、流路構成部材について説明する。流路構成部材は、放射性薬剤２７を収容した遮蔽容器５に刺入する針体を着脱可能に保持する第一針保持部１２７ａ、第二針保持部１２７ｂ（図５）と、第一針保持部１２７ａ、第二針保持部１２７ｂを有する針ユニット１２８と、放射性薬剤２７を収容した遮蔽容器５と連通して放射性薬剤２７に接続される流路を形成する放射性流路３１ｂと、生理食塩水が流れる食塩水流路３１ａと、流路上に設けられて流路を切換える流路切換部材３３a、３３ｂ、３３ｃと、主に放射性薬剤の抽出に用いられる第一シリンジ３６ａと、主に生理食塩液の抽出に用いられる第二シリンジ３６ｂと、流路上の空気を除去するエアベンテッドフィルタ３２から構成される。本明細書で単に「流路」という場合、この流路は放射性薬剤投与装置１において放射性薬剤２７または生理食塩液が流通する流路全体の一部を指す。
【００２８】
上記の流路構成部材は、装置ハウジング２０に対して直接的又は間接的に装着可能である。第一実施形態では、流路構成部材を間接的に装着する例を説明する。この場合は、装置ハウジング２０に装着可能な基板である脱着カセット１３に各流路構成部材を取り付けて、流路構成部材ごと脱着カセット１３を装置ハウジング２０に装着できる。
図６、図７及び図８は、脱着カセット１３を説明するための図であって、図６は脱着カセット１３の正面図、図７は脱着カセット１３の背面図、図８は脱着カセット１３の上面図である。図６から図８に示すように、脱着カセット１３は、食塩水流路３１ａ及び放射性流路３１ｂを保持するチューブ保持部１３２、流路を切換える流路切換部材３３a、３３ｂ、３３ｃを保持する切換部材保持部１３５、及び第一シリンジ３６ａ、第二シリンジ３６ｂを保持するシリンジ保持部１３６、エアベンテッドフィルタ３２を保持するフィルタ保持部１３８を備えた主基板１３０を有している。このような脱着カセット１３によれば、食塩水流路３１ａ及び放射性流路３１ｂ、流路切換部材３３ａ、３３ｂ、３３ｃ、第一シリンジ３６ａ、第二シリンジ３６ｂ及びエアベンテッドフィルタ３２を保持した状態で、放射性薬剤投与装置１の装置ハウジング２０に装着することにより、食塩水流路３１ａ、放射性流路３１ｂ、流路切換部材３３ａ、３３ｂ、３３ｃ、第一シリンジ３６ａ、第二シリンジ３６ｂ及びエアベンテッドフィルタ３２といった使い捨ての部材のセッティングを容易に行うことができる。また、放射性薬剤２７の投与後は、これら使い捨ての部材を脱着カセット１３ごと装置ハウジング２０から容易に取り外すことができる。
【００２９】
また、主基板１３０は、流路構成部材配置部１４に装着するために、取付孔１９と、取手部１７を有している。流路構成部材配置部１４の取付孔１９と対応する位置に流路構成部材保持部１４４（例えば、凸部）を備えており、取付孔１９と流路構成部材保持部１４４が係合することで主基板１３０を流路構成部材配置部１４に装着可能である。ただし、本装着形式は、一例であり、主基板１３０を流路構成部材配置部１４に装着することが可能であれば、主基板１３０側の構造及び流路構成部材保持部１４４の構造は特に限定されない。
【００３０】
チューブ保持部１３２は複数設けられていてもよく、食塩水流路３１ａ、放射性流路３１ｂを保持することができ、主基板１３０に設けられた他の構成要素と互いに干渉しないように食塩水流路３１ａ、放射性流路３１ｂを引き回すことができれば、特に数量や形状は限定されない。例えば、図６では８個のチューブ保持部１３２を設けている。
第一実施形態では、主基板１３０は、例えば３つの切換部材保持部１３５が隣り合って幅方向に並んで配置され、かつシリンジ保持部１３６の下方に配置されている。切換部材保持部１３５は、正面からみて円形の円盤状に形成されており、主基板１３０を貫通した状態で主基板１３０に設けられており、主基板１３０に対して相対的に回転可能に、主基板１３０によって保持されている。
【００３１】
第一実施形態のシリンジ保持部１３６は、第一シリンジ保持部１３６ａ及び第二シリンジ保持部１３６ｂの二つからなり、２つのシリンジ保持部は互いに同一平面で、左右に隣り合って配置されており、図６では第一シリンジ保持部１３６ａは第二シリンジ保持部１３６ｂの左側に配置されている。フィルタ保持部１３８は、エアベンテッドフィルタ３２を保持可能な形状であって、他の構成要素と互いに干渉しない位置であれば特に形状や位置は限定されないが、脱着カセット１３を装置ハウジング２０に装着した場合に、切欠領域２１０の下方に位置することが好適である。
【００３２】
また、脱着カセット１３は、第一針保持部１２７ａと第二針保持部１２７ｂの二つの針保持部１２７と、各針保持部が移動可能な針案内部１３３を備えた副基板１３１をさらに備えており、副基板１３１は主基板１３０に対して固定されている。主基板１３０と副基板１３１はそれぞれ盤状に形成されており、それぞれ鉛直に配置されるようになっている。また、主基板１３０と副基板１３１は連結部材１３９によって互いに直角に連結され、かつ互いに平行に設けられている。つまり、主基板１３０が配置される平面と副基板１３１が配置される平面は、互いに平行に異なる平面上に設けられている。この主基板１３０及び副基板１３１を備えた脱着カセット１３によれば、放射性薬剤投与装置１の装置ハウジング２０に針保持部１２７や針案内部１３３を直接設ける必要がなく、使い捨ての部材である針体のセッティング及び取り外しを容易に行うことができる。
【００３３】
第一針保持部１２７ａには例えば薬剤抽出針１２５を、第二針保持部１２７ｂには例えば通気針１２６をそれぞれ装着することができる。第一針保持部１２７ａ及び第二針保持部１２７ｂは、副基板１３１に形成された直線状のガイド孔１３４ａ、１３４ｂに沿って移動可能である。すなわち、第一針保持部１２７ａはガイド孔１３４aに沿って移動可能であり、第二針保持部１２７ｂはガイド孔１３４bに沿って移動可能である。第一実施形態ではガイド孔１３４aとガイド孔１３４bは互いに隣り合って配置され、ガイド孔１３４ａが上下方向に延在しており、ガイド孔１３４ｂは下方に向けてガイド孔１３４ａに近づく方向に傾斜している。
なお、脱着カセット１３は、このような構成に限定されるものではなく、流路構成部材配置部１４の流路構成部材保持部１４４と嵌合して装置ハウジング２０に装着可能な凸部又は凹部を有する基板であればよい。このような基板は、脱着カセット１３のように、装置ハウジング２０に対して脱着可能な基板であることが好適である。また、第一実施形態では、流路構成部材を装着した脱着カセット１３を流路構成部材の一つとする。
【００３４】
（流路構成部材配置部）
次に、流路構成部材配置部１４について説明する。第一実施形態では、流路構成部材配置部１４は構成取付部に相当する。また、第一実施形態では、流路構成部材を前述の脱着カセット１３を介して流路構成部材配置部１４に装着する例を説明する。ただし、第一実施形態は脱着カセット１３を介して流路構成部材を流路構成部材配置部１４に取り付ける構成に限定されず、流路構成部材を放射性薬剤投与装置１に直接装着するようにしてもよい。このような場合、放射性薬剤投与装置１の流路構成部材配置部１４の正面には図６に示す主基板１３０の取付孔１９及び取手部１７を除く部材（チューブ保持部１３２、切換部材保持部１３５、第一シリンジ保持部１３６ａ、第二シリンジ保持部１３６ｂ）が形成された基板（図示せず）が流路構成部材配置部１４と一体に形成され、この基板が構成取付部として機能する。
【００３５】
第一実施形態の放射性薬剤投与装置１は、放射性薬剤２７の流路を構成する流路３１ｄを通じて遮蔽容器５内のバイアル瓶７から放射性薬剤２７を抽出し、かつ抽出した放射性薬剤２７を投与するための第一シリンジ３６ａ、第二シリンジ３６ｂのプランジャ部３７ａ、３７ｂを駆動させる１または複数のシリンジ駆動部１４２と、流路構成部材を装着した脱着カセット１３と嵌合する流路構成部材保持部１４４と、流路上に設けられ、流路を切り換える流路切換部材３３ａ、３３ｂ、３３ｃを保持する流路切換部材保持部１４６を備えている。シリンジ駆動部１４２は、流路構成部材配置部１４内の上方に位置し、流路切換部材保持部１４６の上方向に設けられており、流路切換部材保持部１４６は流路構成部材配置部１４内の下方に位置し、流路構成部材保持部１４４は流路構成部材配置部１４の略中央に位置する。ここで、略中央は上下方向でシリンジ駆動部１４２より低く、流路切換部材保持部１４６より高い位置であれば特に限定されない。また、第一実施形態の流路構成部材保持部１４４は凹形状（凹部）を有している。しかし、流路構成部材保持部１４４は、例えば、放射性薬剤投与装置１の側に凹部を設け、この凹部にする凸部であってもよい。さらに、流路構成部材保持部１４４は、放射性薬剤投与装置１と勘合する構成に限定されず、放射性薬剤投与装置１に脱着カセット１３が固定されるように係合するものであればどのようなものであってもよい。
【００３６】
シリンジ駆動部１４２は、装置ハウジング２０に設けられ、図４に示すようにモータ３００を駆動源として上下動可能である。シリンジ駆動部１４２は、流路構成部材の一部である第一シリンジ３６ａのプランジャ部３７ａ、第二シリンジ３６ｂのプランジャ部３７ｂに対応する位置に、それぞれのプランジャ部と嵌合するプランジャ嵌合部１４３ａ、１４３ｂを有し、プランジャ嵌合部１４３a、１４３ｂは装置前面側（図２の−ｙ方向）に開放された係合溝を備えた形状である。そのため、第一シリンジ３６ａ及び第二シリンジ３６ｂを装置前面側からプランジャ嵌合部１４３a、１４３ｂに対して嵌め込むことで各シリンジのプランジャ部３７ａ、３７ｂを保持する。
【００３７】
また、駆動源であるモータ３００は各プランジャ嵌合部１４３ａ、１４３ｂを上下動させ、保持されたプランジャ部３７ａ、３７ｂを個別に上下動させる。ここで、モータ３００は制御信号にしたがって高い精度で駆動するステッピングモータ等が好適である。また、シリンジ駆動部１４２の動線は、プランジャ嵌合部１４３a、１４３ｂの上下動にあたり他の構成部材と互いに干渉しないものであれば特に限定されないが、図３では各プランジャ係合部１４３ａ、１４３ｂの移動方向（上下方向又はｚ方向）に延在する開口１４７a、１４７ｂを有する。開口１４７a、１４７ｂはプランジャ嵌合部１４３a、１４３ｂが上下動する際のガイド孔として機能する。また、第一実施形態では、シリンジ駆動部１４２の動力源としてモータ３００を示すが、駆動源は特に限定されず、シリンダ等のアクチュエータを駆動源としてもよい。
【００３８】
流路構成部材保持部１４４は、装置ハウジング２０に設けられ、放射性薬剤２７の投与に用いられる流路を構成する流路構成部材を保持することができれば特に限定されない。流路構成部材保持部１４４は、脱着カセット１３に設けられた取付孔１９と嵌合する凸部を有し、流路構成部材を装置ハウジング２０に間接的に装着して保持する。
【００３９】
流路切換部材保持部１４６は、装置ハウジング２０に設けられ、流路構成部材の一部である流路切換部材３３ａ、３３ｂ、３３ｃを保持する複数の流路切換部材保持部である。流路切換部材３３ａ、３３ｂ、３３ｃは典型的には三方活栓であり、第一実施形態でも三方活栓である。第一実施形態では、流路切換部材保持部１４６は流路切換部材３３ａ、３３ｂ、３３ｃに対応して例えば三つ設けられており、このうち一つは第一シリンジのプランジャ嵌合部１４３ａの下部に配置され、他の一つは第二シリンジのプランジャ嵌合部１４３ｂの下部に配置され、それぞれ水平方向に並列して配置されている。流路切換部材保持部１４６は、装置前面側（−ｙ方向）に開放された係合溝を有し、これら係合溝に対して前面側から流路切換部材３３ａ、３３ｂ、３３ｃを係合させて保持する。各流路切換部材保持部は、例えば本装置の正面から見て円盤状で形成されていてもよく、装置ハウジング２０に対して各々独立して回転可能に設けられており、例えば図４に示すようなモータ３１０に機械的に接続され、モータ３１０の回転に応じて流路切換部材３３ａ、３３ｂ、３３ｃを回転させ、流路を切り換える。
【００４０】
（流路誘導部）
次に、流路誘導部１６について説明する。図４、図５に示すように、第一実施形態では、流路誘導部１６は遮蔽領域Ｓ２を構成する遮蔽壁２１ｇを貫通して導出された食塩水流路３１ａ、放射性流路３１ｂを、装置外部へ誘導する役割を担う。流路誘導部１６は、上下方向で遮蔽領域より高い位置に設けられ、かつ遊挿空間５０より高い位置に設けられる。また、流路誘導部１６は、遊挿空間５０の幅方向の中心線Ｌより、装置ハウジング２０の幅方向かつ遠ざかる方向に離れて位置している。
【００４１】
図４に示すように、流路誘導部１６は、遮蔽壁２１ｇから導出された流路を収納する誘導路１６０を有している。誘導路１６０は、一端に流路を導入する流路導入口１６１を有し、他端に流路を導出する流路導出口１６２を有する。第一実施形態では、流路導入口１６１は、流路導出口１６２より低い位置に設けられ、誘導路１６０が装置前面方向に傾斜している。また、流路導入口１６１は切欠領域２１０の上方付近に設けられ、流路導出口１６２は装置ハウジング２０の側面上部の奥行方向に対する略中央付近に設けられている。
遮蔽壁２１gから導出された食塩水流路３１ａ、放射性流路３１ｂは、遊挿空間５０内に撓んだ状態で遊挿される。食塩水流路３１ａはそのまま装置側面から外部に導出され、放射性流路３１ｂが流路誘導部１６によって、流路導入口１６１に導入された後、誘導路１６０を経て、流路導出口１６２まで連続的に誘導され、装置外部に導出される。誘導路１６０に誘導された流路内を放射性薬剤２７が通過する際に、装置前面に立つ作業者への放射線被ばくを低減させるため、誘導路１６０の上方に遮蔽壁２１ｍを設けることが好適である。
【００４２】
また、第一実施形態では、流路誘導部１６は図示しないレールを用いて、装置ハウジング２０に対して幅方向かつ遠ざかる方向（図３の左方向で、図４の手前方向）に移動可能に引き出される。誘導路１６０は凹形状に形成され、流路誘導部１６を引き出した状態で、上部から嵌通する流路を視認可能であることが好適である。凹形状は特に限定されないがＵ字形状、Ｖ字形状など流路を収容可能な形状であればよい。
【００４３】
ここで、第一実施形態の流路誘導部１６の効果について説明する。第一実施形態は、流路誘導部１６が移動可能に引き出されることによって、装置全体の外形寸法の縮小に寄与する。流路導出口１６２を装置背面側ではなく、装置側面上部に設け、かつ流路誘導部１６によって、流路導出口１６２に向かって流路を引き回すことで、流路が装置内部を前後方向に横断する空間を設ける必要がなくなり、それによって新たに生じた空間に、放射性薬剤投与装置１に含まれる電気的な構成（例えば、無停電電源装置（ＵＰＳ）７０ａ、制御部７０ｂ等）を配置することができるからである。これによって、放射性薬剤投与装置全体の上下方向の外形寸法を縮小することができる。
また、第一実施形態は、流路誘導部１６が移動可能に引き出されることによって作業者の操作性向上に寄与する。つまり、放射性薬剤２７を生体に投与するために流路構成部材を放射性薬剤投与装置１にセッティングする際に、作業者が装置前面から移動することなく、流路誘導部１６を装置側面側に引き出して、凹形状の誘導路１６０に流路を収納して引き回すことができる。また、誘導路１６０を凹形状にすることによって、収納した流路を視認可能にし、流路構成部材のセッティングを容易にできる。また、第一実施形態では、誘導路１６０は放射性流路３１ｂのみを収納する例を説明したが、食塩水流路３１ａと放射性流路３１ｂを一緒に収納してもよい。
【００４４】
（遮蔽部材）
次に、遮蔽部材２１について図３から図５を用いて説明する。第一実施形態では、放射性薬剤投与装置１は外部への放射線の漏洩を低減させる構成として、遮蔽部材２１を有している。遮蔽部材２１は、少なくとも容器配置部１２（遮蔽領域Ｓ１）及び流路構成部材配置部１４（遮蔽領域Ｓ２）の少なくとも一部を覆い、その外壁として遮蔽壁２１ａ〜２１ｍを有する。なお、遮蔽部材２１の装置前面側の一の側面は、容器配置部１２と流路構成部材配置部１４を個々に開放または閉塞する遮蔽扉１０ａ、１０ｂである。ここで、遮蔽壁２１ａから遮蔽壁２１ｋ及び遮蔽扉１０ａ、１０ｂの材質としては放射線（例えば、ガンマ線、エックス線等）を遮蔽可能な放射線阻止能を有していれば特に限定されないが、好ましくはアルミニウム、鉛、タングステン等の金属であり、単位体積当たりの重量の観点ではアルミニウムやタングステンが好適であり、加工の容易さの観点からはアルミニウムや鉛が好適である。また、各遮蔽壁または遮蔽扉は単一の材質で形成してもよく、放射線阻止能の異なる二種以上の材質で形成してもよい。
【００４５】
図３、図４及び図５を用いて、容器配置部１２の少なくとも一部を遮蔽部材２１が覆うことによって形成される遮蔽領域Ｓ１を説明する。容器配置部１２は、図３に示さない遮蔽扉１０ｂの他、針ユニット配置部１２４の上面側に近接して遮蔽領域Ｓ１を覆う遮蔽壁２１ａと、針ユニット配置部１２４の右側面に近接して遮蔽領域Ｓ１を覆う遮蔽壁２１ｂと、針ユニット配置部１２４及び容器ホルダ１２２の背面側に近接して遮蔽領域Ｓ１を覆う遮蔽壁２１ｃと、針ユニット配置部１２４の左側面を覆う遮蔽壁２１ｄとによって形成されている。遮蔽壁２１ｄの下方には流路構成部材を装着した脱着カセット１３を装着するための（図示しない）開口部を有している。また、遮蔽壁２１ｂは、その下方に開口部２４を有している。これは遮蔽容器５の側面方向への放射線の漏洩は遮蔽容器５自体によって十分に低減されているためである。また、同様の理由から容器配置部１２の下方（図３の−ｚ方向）には遮蔽壁がない。各壁面の放射線の阻止能を考慮して適宜開口等を設けることで、遮蔽領域Ｓ１の総体積を低減でき、放射性薬剤投与装置１全体の外形寸法を小さくしている。
【００４６】
次に、流路構成部材配置部１４を覆う遮蔽部材２１を説明する。流路構成部材配置部１４は、図３に示さない前面側の遮蔽扉１０ａの他、シリンジ駆動部１４２の右側面に近接して遮蔽領域Ｓ２を覆う遮蔽壁２１ｄと、シリンジ駆動部１４２の上側面に近接して遮蔽領域Ｓ２を覆う遮蔽壁２１ｅと、シリンジ駆動部１４２の左側面に近接して遮蔽領域Ｓ２を覆う遮蔽壁２１ｆと、流路構成部材保持部１４４の左側面下部で、エアベンテッドフィルタ３２の左側面に近接して遮蔽領域Ｓ２を覆う遮蔽壁２１ｈと、遮蔽壁２１ｆと遮蔽壁２１ｈの間を連結し、食塩水流路３１ａ、放射性流路３１ｂを貫通させる孔（図１の開口２１１ｃに相当）を備えた遮蔽壁２１ｇと、流路切換部材保持部１４６の右側面に近接して遮蔽領域Ｓ２を覆う遮蔽壁２１ｉと、流路構成部材配置部１４の底面に近接して遮蔽領域Ｓ２を覆う遮蔽壁２１ｊと、流路構成部材配置部１４の背面側に近接して遮蔽領域Ｓ２を覆う遮蔽壁２１ｋとで構成される。また、容器配置部１２の背面側を覆う遮蔽壁２１ｃと、流路構成部材配置部１４の背面側を覆う遮蔽壁２１ｋは、互いに平行に設けられているが、放射性薬剤投与装置１に装着される脱着カセット１３の連結部材１３９の奥行方向の長さに対応した距離だけ前後方向に離れた異なる平面上に設けられている。
【００４７】
流路構成部材配置部１４を開放または閉塞する遮蔽扉１０ａは、単一であってもよいが、図４に示すように複数の外側扉１００、内側扉１１０で構成されていることが好適である。第一実施形態では、遮蔽扉１０ａは、外側扉１００と内側扉１１０からなる複数の遮蔽扉であり、互いに重なって設けられている。各々の遮蔽扉の材質は放射線の阻止能を有する遮蔽部材である。第一実施形態では、内側扉１１０は放射線の阻止能の高い単一の材質で形成され、外側扉１００は放射線の阻止能が高いＡ層１００ａと、放射線の阻止能がＡ層より低いＢ層１００ｂの二種の材質で形成されている。内側扉１１０と、外側扉１００のＡ層１００ａは同様の材質で形成されることが好適である。
【００４８】
次に、流路構成部材配置部１４を覆う外側遮蔽扉１００と内側遮蔽扉１１０の位置関係について説明する。図４に示すように、内側遮蔽扉１１０は流路構成部材配置部１４の流路構成部材保持部１４４（図３及び図７）及び流路切換部材保持部１４６（図３）を覆い、その外側（図４の右方向）に重なるように外側扉１００が設けられ、外側扉１００はシリンジ駆動部１４２及び内側扉１１０を覆っている。より具体的には、外側扉１００のＡ層１００ａが、シリンジ駆動部１４２を覆い、Ｂ層１００ｂがシリンジ駆動部１４２及び内側扉１１０を覆っている。また、外側扉１００（Ａ層及びＢ層の一部）と内側扉１１０の上端は、互いに係合するように段差が設けられている。
【００４９】
内側扉１１０の放射線の阻止能は、外側扉１００（Ａ層１００ａ及びＢ層１００ｂ）の放射線の阻止能より高くなるように形成されている。これら遮蔽扉を放射線の阻止能が高い順に並べると内側扉１１０、外側扉のＡ層１００ａ、Ｂ層１００ｂの順である。これは放射性薬剤２７がバイアル瓶７から流路３１ｄを通じて流路構成部材保持部１４４に嵌合した脱着カセット１３の放射性流路３１ｂ上を通過することに基づく。放射性薬剤２７が近傍を通過しないシリンジ駆動部１４２と、放射性薬剤２７が近傍を通過する流路構成部材保持部１４４及び流路切換部材保持部１４６では、流路構成部材保持部１４４及び流路切換部材保持部１４６の放射能量がより高い。すなわち、放射線量が高い領域を放射線の阻止能が高くなるよう形成された内側扉１１０で覆い、放射線量が低い領域を放射線の阻止能が内側扉１１０より低くなるように形成された外側扉１００で覆うことで、遮蔽領域Ｓ２の総体積を縮小することができ、放射性薬剤投与装置１の全体の外形寸法を小さくすることができる。
【００５０】
（遊挿空間（切欠領域））
次いで、切欠領域２１０及び切欠領域２１０によって生じる遊挿空間５０について説明する。切欠領域２１０は、遮蔽壁２１ｆ、２１ｇで構成される。切欠領域２１０は遮蔽部材２１の一部を「切り欠いて」形成されたものではないが、遮蔽部材２１が概念的に直方体形状であるとした場合、遮蔽部材２１が、この直方体の一部が欠損しているような形状であることから欠損部分に相当する部位を切欠領域と称している。切欠領域２１０は、遮蔽壁２１ｅに比べて遮蔽壁２１ｇが低くなるように設計し、遮蔽壁２１ｅを図１に示す高面部２１１ａ、遮蔽壁２１ｆを低面部２１１ｂとすることによって形成される。切欠領域２１０は実体を有する部材ではなく空間であるので、切欠領域２１０に重なって遊挿空間５０が生じる。遊挿空間５０は、流路誘導部１６と共に引き出されることを考慮した長さを持つ放射性流路３１ｂが、撓んだ状態で緩やかに挿入（遊挿）される空間である。
【００５１】
なお、上記構成は、流路構成部材配置部１４内に配置される流路構成部材（第一シリンジ３６ａ、第二シリンジ３６ｂ、エアベンテッドフィルタ３２、食塩水流路３１ａ、放射性流路３１ｂ及び流路切換部材３３ａ、３３ｂ、３３ｃ）の大きさや設置に係る範囲がそれぞれ異なることに起因する。つまり、流路構成部材配置部１４において、シリンジ駆動部１４２が位置する領域はプランジャ嵌合部１４３ａ、１４３ｂが上下動する高さを確保する必要がある。一方、エアベンテッドフィルタ３２が位置する領域は上下動する高さを確保する必要がない。本発明の発明者らは、このような点に着目し、遮蔽部材２１を配置に係る空間が大きいものに合わせるのではなく、流路構成部材個々の大きさに合わせて遮蔽部材２１から不要な空間を除いている。そして、除いた空間を遮蔽部材２１の外部にすることにより、遮蔽領域Ｓ２の専有体積を縮小することができる。そして、第一実施形態は、生じた遊挿空間５０を放射性流路３１ｂを引き回すことに活用し、今まで流路の引き回しに利用していた空間に電気的な他の構成（無停電電源装置（ＵＰＳ）７０ａ等）を収容することによって放射性薬剤投与装置１の外形寸法の小型化を図ることができる。
【００５２】
（動作）
次に、以上説明した構成を有する放射性薬剤投与装置１の投与時の動作を説明する。なお、本動作説明においては、容器ホルダ１２２に遮蔽容器５が載置され、流路構成部材（第一シリンジ３６ａ、第二シリンジ３６ｂ、エアベンテッドフィルタ３２、食塩水流路３１ａ、放射性流路３１ｂ及び流路切換部材３３ａ、３３ｂ、３３ｃ）が装着された脱着カセット１３が、流路構成部材配置部１４に装着され、第二シリンジ３６ｂには生食バッグ３から吸引された生理食塩液が一定量貯留された状態であるものとする。また、第一実施形態では作業者がディスプレイ６５に表示された「投与開始」等を示す表示に触れることで、制御部７０ｂがディスプレイ６５への接触圧を検知し、あらかじめ設定された投与プログラム（以下単に「プログラム」という）を起動して開始する場合を説明するが、制御部７０ｂに投与開始を伝える手段はこれに限定されない。
【００５３】
制御部７０ｂは、プログラムを起動し、まず、針駆動機構１２９を動作させ、薬剤抽出針１２５の装着された第一針保持部１２７ａ及び通気針１２６の装着された第二針保持部１２７ｂを下方向に駆動させ、バイアル瓶７の栓体を貫通して薬剤抽出針１２５の針先を、傾斜したバイアル瓶７の底部近くまで下降させる。このとき流路切換部材３３ｂは、第一シリンジ３６ａと流路３１ｄを連通させており、流路３１ｄを介して第一シリンジ３６ａとバイアル瓶７が連通しており、かつ通気針１２６によってバイアル瓶７内は常圧に保たれている。
【００５４】
次に、制御部７０ｂはプログラムに従って、モータ３００をあらかじめ設定された回転数だけ回転し、第一シリンジ３６ａのプランジャ３７ａを上昇させる。これによってバイアル瓶７から薬剤抽出針１２５、流路３１ｄ、流路切換部材３３ａ、流路切換部材３３ｂを通じて第一シリンジ３６ａ内にモータの回転数に応じた分量の放射性薬剤２７が吸引される。
【００５５】
次に、制御部７０ｂはプログラムに従って、針駆動機構１２９を動作させ、薬剤抽出針１２５をバイアル瓶７内で放射性薬剤２７の液面から十分離れる位置まで上昇させる。その後、さらにモータ３００を回転させ、第一シリンジ３６ａのプランジャ３７ａを上昇させて、所定量の空気を、通気針１２６、バイアル瓶７、薬剤抽出針１２５、流路３１ｄ、流路切換部材３３ａ、流路切換部材３３ｂを通じて第一シリンジ３６ａ内に吸引する。これによって、薬剤抽出針１２５、流路３１ｄ、流路切換部材３３ａ、流路切換部材３３ｂに残存する放射性薬剤の量が低減され、所望の分量の放射性薬剤２７を吸引することができる。
【００５６】
次に、制御部７０ｂはプログラムに従って、モータ３１０を回転させて流路切換部材３３ｂを回転させ、第一シリンジ３６ａと放射性流路３１ｂ、全量流路３１ｃ、エアベンテッドフィルタ３２を連通させる。続いて、制御部７０ｂはモータ３００を回転させて第一シリンジ３６ａのプランジャ部３７ａを下降させて、第一シリンジ３６ａ内に貯留された放射性薬剤２７を全量流路３１ｃに全量送出する。これにより、放射性薬剤２７は、全量流路３１ｃを進み、エアベンテッドフィルタ３２を通過する。このとき第一シリンジ３６ａ内に吸引された空気は、エアベンテッドフィルタ３２によって除去される。エアベンテッドフィルタ３２を通過した放射性薬剤２７は、放射性流路３１ｂを経て生体に投与される。
【００５７】
次に、制御部７０ｂはプログラムに従って、モータ３１０を回転させて、流路切換部材３３ａ、３３ｂを連通させる。また、モータ３１０を回転させて、流路切換部材３３ａと第二シリンジ３６ｂを連通させる。これにより、流路切換部材３３ａと流路切換部材３３ｂを介して、第一シリンジ３６ａと第二シリンジ３６ｂが連通する。次いで、モータ３００をあらかじめ設定された回転数だけ回転させて、第一シリンジ３６ａのプランジャ部３７ａを上昇させて、第二シリンジ３６ｂ内に貯留された生理食塩液を第一シリンジ３６ａ内に引き込む。このとき、第二シリンジ３６ｂのプランジャ部３７ｂを駆動するモータ３００を第一シリンジ３６ａのプランジャ部３７ａを駆動するモータの動作量と同程度だけ逆回転させ、第二シリンジ３６ｂのプランジャ部３７ｂを下降させる。
【００５８】
次に、制御部７０ｂはプログラムに従って、モータ３１０を回転させて、流路切換部材３３ｂを回転させ、全量流路３１ｃと第一シリンジ３６ａを連通させる。そして、モータ３００をあらかじめ設定された回転数だけ回転させて、第一シリンジ３６ａのプランジャ３７ａを下降させ、第一シリンジ３６ａ内に貯留した生理食塩液を全量流路３１ｃに送出する。送出された生理食塩液は、全量流路３１ｃ、エアベンテッドフィルタ３２、放射性流路３１ｂを進んで生体に投与される。これによって、第一シリンジ３６ａ、全量流路３１ｃ、エアベンテッドフィルタ３２、放射性流路３１ｂ内を生理食塩液で洗浄することができ、流路上に残存した放射性薬剤をできるだけ多く生体に投与することが可能となる。以上の動作により放射性薬剤２７の生体への投与が完了する。
【００５９】
なお、第一実施形態の動作は上記に限定されるものではなく、例えば、バイアル瓶７から第一シリンジ３６ａ内に放射性薬剤２７を全量吸引し、所定の量を投与したのちに、モータを回転させて廃棄流路（図示しない）と第一シリンジ３６ａを連通させて、残りを廃棄流路に送出してもよい。この場合は、生体に投与されなかった放射性薬剤２７は廃棄流路を進み、廃液ボトル１８０に貯留される。
【００６０】
また、第一実施形態では、流路構成部材を脱着カセット１３を介して間接的に放射性薬剤投与装置１に装着する例を示したが、本発明はそのような構成に限定されるものではなく、流路構成部材を直接放射性薬剤投与装置に装着してもよい。その場合は、脱着カセット１３が備える各保持部を装置本体の流路構成部材配置部１４に備えるように構成してもよい。
【００６１】
[変形例]
また、第一実施形態では、容器ホルダ１２２は装置ハウジング２０に設けられている例を説明したが、本発明は、このような構成に限定されるものではない。
図９は、第一実施形態の容器ホルダの変形例を示す図である。第一実施形態は、図９に示すように、容器ホルダは、遮蔽扉１０のうちの遮蔽扉１０ｂを構成する内側扉１１０に設けられる容器ホルダ２２２であってもよい。このように構成することにより、第一実施形態は、一般に重量物である遮蔽容器５の運搬距離を低減させ、作業者の操作性向上が期待できる。
【００６２】
［第二実施形態］
次に、本発明の第二実施形態を説明する。第二実施形態の放射性薬剤投与装置１は、針ユニットの構成以外は第一実施形態と同様である。そのため、第二実施形態では、脱着カセット及び針ユニット以外の構成の図示及び説明を一部省略する。
第二実施形態の流路構成部材は第一実施形態と同様に、放射性薬剤投与装置１に対して脱着カセット４３を介して、間接的に装着される。図１０は、脱着カセット４３の底面図であり、図１１は脱着カセット４３に流路構成部材を取り付けた状態の正面図、図１２は背面図である。ここで、図１０に示すように、第二実施形態では、脱着カセット４３の主基板４３０と副基板４３１がL字形状に連結部材４３９によって接続されている。つまり、脱着カセット４３の副基板４３１に設けられた図示しない第一針保持部と図示しない第二針保持部が、主基板４３０に対する法線方向（装置に装着された際の前後方向）に並んで配置されている。これによって、脱着カセット４３の幅方向の寸法を短くすることができ、脱着カセット４３を装着する装置ハウジングの遮蔽領域Ｓ２の幅方向の寸法を短くでき、かつ放射性薬剤投与装置の幅方向の外形寸法を小さくすることができる。
また、この場合に容器配置部１２の容器ホルダ１２２が有する斜面１２３は、針保持部の並び方向と同一に設けられていることが好適である。
【００６３】
図１３（ａ）、図１３（ｂ）は、第二実施形態の針ユニット２２８を説明するための図である。針ユニット２２８は、抽出針保持部である第一針保持部１２７ａと通気針保持部である第二針保持部１２７ｂが装置ハウジングの幅方向と交差する前後方向に配置されるように保持しながら上下動させる針案内部であるガイド孔４３４ａ、４３４ｂを備えている。ここで、前後方向とは、図１から図５に示すｘ，ｙ平面と交差する方向であって、好ましくはｙ方向、あるいは略ｙ方向をいう。第一針保持部１２７ａは薬剤抽出針１２５を保持する構成であり、第二針保持部１２７ｂは通気針１２６を保持する構成である。図１３（ａ）は薬剤抽出針１２５、通気針１２６が下降する以前の状態を示し、図１３（ｂ）は薬剤抽出針１２５、通気針１２６が下降した状態を示している。
【００６４】
図１３（ａ）、図１３（ｂ）に示すように、針ユニット２２８は、第一針保持部１２７ａと第二針保持部１２７ｂとを装置ハウジング２０の幅方向と交差する方向に配置されるように保持しながら上下動させる針案内部を有している。第二実施形態の針案内部は、上下方向に延在する第一案内溝（ガイド孔）４３４ａ、第二案内溝（ガイド孔）４３４ｂである。第二実施形態では、ガイド孔４３４ｂが中央付近でガイド孔４３４ａに近づく方向に屈曲するように形成されている。ただし、第二実施形態は、反対に、ガイド孔４３４ｂがガイド孔４３４ａに近づく方向に屈曲するように形成されるものであってもよい。このように構成することにより、第二実施形態は、針ユニット２２８を放射性薬剤投与装置１の奥行き方向に延びるように取り付けることができるので、針ユニット２２８の放射性薬剤投与装置１の幅方向に占める取付スペースを小さくすることができる。
【００６５】
また、薬剤抽出針１２５、通気針１２６は、放射性薬剤投与装置１への取り付けの直前までキャップが被せられた状態になっている。公知の放射性薬剤投与装置においては、キャップが被せられた薬剤抽出針１２５、通気針１２６は、キャップ同士が接触するので図１３（ｂ）に示す状態で取り付けることができず、キャップを外して放射性薬剤投与装置１に取り付けなければならなかった。このため、公知の放射性薬剤投与装置１においては、薬剤抽出針１２５、通気針１２６の取り付け作業時に針が作業者の手指に刺さらないように注意しなければならなかった。
これに対し、第二実施形態の針ユニット２２８は、図１３（ａ）に示すように、薬剤抽出針１２５、通気針１２６を充分離間させて取り付けることができるので、薬剤抽出針１２５、通気針１２６にキャップを被せたまま両者を放射性薬剤投与装置１に取り付けることができる。このような第二実施形態は、脱着カセット４３に薬剤抽出針１２５、通気針１２６を取り付ける、あるいは脱着カセット４３を装置ハウジング２０に装着する際の作業者の針刺しリスクを低減することができる。
【００６６】
上記実施形態は以下の技術思想を包含するものである。
（１）放射性薬剤を生体に投与するための放射性薬剤投与装置であって、前記放射性薬剤の薬剤容器が収容された遮蔽容器を保持する容器保持部と、前記容器保持部内に収容されている前記薬剤容器に接続される流路の一部を構成する複数の流路構成部材が取り付けられる構成取付部と、前記容器保持部または前記構成取付部の少なくとも一部を覆って前記放射性薬剤から放出される放射線を遮蔽する遮蔽部材と、前記遮蔽部材の少なくとも一部を覆う装置ハウジングと、を備え、前記遮蔽部材は、設置方向における上面の一部が前記上面の他の部分よりも低い低面部を有し、前記低面部の上方に前記遮蔽部材から引き出された前記流路が遊挿される遊挿空間を有する、放射性薬剤投与装置。
（２）前記遮蔽部材には、前記容器保持部及び前記構成取付部を個々に遮蔽する複数の遮蔽領域が設けられている、（１）の放射性薬剤投与装置。
（３）前記遮蔽部材に形成された第一開口と前記装置ハウジングに形成された第二開口との間で前記流路を保持する流路誘導部をさらに有する、（１）または（２）の放射性薬剤投与装置。
（４）前記流路誘導部は、前記流路を前記装置ハウジングの幅方向に移動可能にする、（３）の放射性薬剤投与装置。
（５）前記流路の一部は、前記遊挿空間内で上方向及び前記装置ハウジングの幅方向に引き回されている、（１）から（４）のいずれか一つの放射性薬剤投与装置。
（６）前記遮蔽部材は、遮蔽空間を構成する複数の遮蔽壁と、前記遮蔽空間を開放または閉塞する遮蔽扉を有し、前記遮蔽扉は、放射性薬剤投与装置の外部に曝される外面を有する外側扉と、当該外側扉の前記外面に対する裏面である内面に対向する内側扉とを含む、（１）から（５）のいずれか一つの放射性薬剤投与装置。
（７）前記構成取付部には、前記流路を通じて前記遮蔽容器から前記放射性薬剤を抽出するためにシリンジのプランジャ部を駆動させる１または複数のシリンジ駆動部と、前記流路上に設けられ、前記流路を切り換える流路切換部材を保持する流路切換部材保持部とが取り付けられ、前記内側扉は、前記流路切換部材保持部を覆い、前記外扉は、前記シリンジ駆動部及び前記内側扉を覆っている、（６）の放射性薬剤投与装置。
（８）前記内側扉の放射線の阻止能が、前記外側扉の放射線の阻止能より高い、（６）または（７）の放射性薬剤投与装置。
（９）前記容器保持部は、前記遮蔽扉の前記内側扉に設けられている、（６）から（８）のいずれか一つの放射性薬剤投与装置。
（１０）前記薬剤容器から前記放射性薬剤を抽出する抽出針を保持する抽出針保持部と、前記薬剤容器に穿刺される通気針を保持する通気針保持部とを脱着可能に保持する針ユニットをさらに備え、前記針ユニットは、前記抽出針保持部と前記通気針保持部とが前記装置ハウジングの幅方向と交差する前後方向に配置されるように保持しながら上下動させる針案内部を有する、（１）から（９）のいずれか一つの放射性薬剤投与装置。
（１１）前記針案内部は、上下方向に延在する案内溝であって、前記抽出針保持部及び前記通気針保持部の一方が移動する第一の案内溝と、他方が移動する第二の案内溝とを有し、前記第一の案内溝及び前記第二の案内溝の一方が、他方に近づく方向に屈曲している、（１０）の放射性薬剤投与装置。
【符号の説明】
【００６７】
１・・・放射性薬剤投与装置
３・・・生食バッグ
５・・・遮蔽容器
６・・・操作部
７・・・バイアル瓶
１０、１０ａ、１０ｂ・・・遮蔽扉
１０ｃ・・・廃液ボトル収容扉
１０ｄ・・・流路収容扉
１０ｃｃ、１０ｄｄ、１１・・・把持部
１２・・・容器配置部
１３、４３・・・脱着カセット
１４・・・流路構成部材配置部
１６・・・流路誘導部
１７・・・取手部
１８・・・廃液ボトル配置部
１９・・・取付孔
２０・・・装置ハウジング
２１・・・遮蔽部材
２１ａ―２１ｑ・・・遮蔽壁
２４・・・開口部
２７・・・放射性薬剤
３１ａ・・・食塩水流路
３１ｂ・・・放射性流路
３１ｃ・・・全量流路
３３ａ、３３ｂ、３３ｃ・・・流路切換部材
３１ｄ・・・流路
３２・・・エアベンテッドフィルタ
３４・・・コネクタ
３５・・・懸架台
３６ａ・・・第一シリンジ
３６ｂ・・・第二シリンジ
３７ａ、３７ｂ・・・プランジャ部
４０・・・プリンタ
５０・・・遊挿空間
６２・・・非常用停止スイッチ
６３・・・外部通信コネクタ
６４・・・電源スイッチ
６５・・・ディスプレイ
７０ａ・・・無停電電源装置
７０ｂ・・・制御部
７０ｃ・・・トランス
１００・・・外側扉
１００ａ・・・Ａ層
１００ｂ・・・Ｂ層
１１０・・・内側扉
１２２・・・容器ホルダ
１２３・・・斜面
１２４・・・針ユニット配置部
１２５・・・薬剤抽出針
１２６・・・通気針
１２７・・・針保持部
１２７ａ、４２７ａ・・・第一針保持部
１２７ｂ、４２７ｂ・・・第二針保持部
１２８・・・針ユニット
１２９・・・針駆動機構
１３０、４３０・・・主基板
１３１、４３１・・・副基板
１３２・・・チューブ保持部
１３３・・・針案内部
１３４ａ、１３４ｂ・・・ガイド孔
１３５・・・切換部材保持部
１３６・・・シリンジ保持部
１３６ａ・・・第一シリンジ保持部
１３６ｂ・・・第二シリンジ保持部
１３８・・・フィルタ保持部
１３９、４３９・・・連結部材
１４２・・・シリンジ駆動部
１４３ａ、１４３ｂ・・・プランジャ嵌合部
１４４・・・流路構成部材保持部
１４６・・・流路切換部材保持部
１４７ａ、１４７ｂ・・・開口
１６０・・・誘導路
１６１・・・流路導入口
１６２・・・流路導出口
１８０・・・廃液ボトル
２０１・・・第二開口
２１０・・・切欠領域
２１１・・・上面
２１１ａ・・・高面部
２１１ｂ・・・低面部
２１１ｃ・・・第一開口
２１１ｄ・・・開口
２２２・・・容器ホルダ
２２８・・・針ユニット
３００、３１０・・・モータ
４３４ａ、４３４ｂ・・・ガイド孔
Ｓ１、Ｓ２・・・遮蔽領域
【図１】
2020078534.tif 000003
【図２】
2020078534.tif 000004
【図３】
2020078534.tif 000005
【図４】
2020078534.tif 000006
【図５】
2020078534.tif 000007
【図６】
2020078534.tif 000008
【図７】
2020078534.tif 000009
【図８】
2020078534.tif 000010
【図９】
2020078534.tif 000011
【図１０】
2020078534.tif 000012
【図１１】
2020078534.tif 000013
【図１２】
2020078534.tif 000014
【図１３】
2020078534.tif 000015